(57)【要約】【課題】  白基準板に三角黒マークを設け、本体上で容易にデータを算出することのできる画像読み取り装置を提供する。【解決手段】  白基準板１０を設け、シェーディングする画像読み取り装置において、２箇所の三角黒マーク１０ａを設けた白基準板１０とこの白基準板１０の下での出力にて判定する判定手段２８と、算出した値を表示する表示手段３０を有する。【選択図】        図１０
2006186429.tif 000002
【特許請求の範囲】
【請求項１】
白基準板を設け、該白基準板の基準レベルに基づいて白レベルを決定するシェーディング補正手段を備えた画像読み取り装置において、２箇所の三角黒マークを設けた白基準板と、該白基準板の出力により前記三角黒マークの出力幅を判定する判定手段と、該判定手段により判定した前記三角黒マークの出力幅に基づいてスキュー量を算出する算出手段と、該算出手段により算出した値を表示する表示手段と、を有することを特徴とする画像読み取り装置。
【請求項２】
白基準板を設け、該白基準板の基準レベルに基づいて白レベルを決定するシェーディング補正手段を備えた画像読み取り装置において、２箇所の三角黒マークを設けた白基準板と、送り量を制御できるスキャナモータと、前記白基準板の出力により前記三角黒マークの出力幅を判定する判定手段と、該判定手段により判定した前記三角黒マークの出力幅に基づいてレジストを調整するレジスト調整手段と、を有することを特徴とする画像読み取り装置。
【請求項３】
白基準板を設け、該白基準板の基準レベルに基づいて白レベルを決定するシェーディング補正手段を備えた画像読み取り装置において、２箇所の三角黒マークを設けた白基準板と、該白基準板の出力により前記三角黒マークの出力幅を判定する判定手段と、該判定手段により判定した前記三角黒マークの出力幅に基づいてスキュー量を算出する算出手段と、該算出手段により算出した値を表示する表示手段と、手動にてスキューを調整できるスキュー調整手段と、を有することを特徴とする画像読み取り装置。
【請求項４】
前記スキュー調整手段が自動にてスキューを調整できることを特徴とする請求項３記載の画像読み取り装置。
【発明の詳細な説明】
【技術分野】
【０００１】
本発明は、画像読取装置にて白基準板に三角黒マークを設け、現状の副走査レジストや先端スキューを検出し、レジスト調整を実施したりスキュー量を手動および自動的に調整する画像読み取り装置に関するものである。
【背景技術】
【０００２】
従来では、画像読み取り装置は第１および第２キャリッジのバラツキやレンズブロック調整精度、レールやフームのバラツキ、画像読み取り装置を本体に載せたときの変化などでそのスキュー量がばらついてしまうことが知られている（例えば、特許文献１および２参照）。
従来技術に関して、例えば、特許文献１ではマークは×マークであり、スキューでの左右光軸ズレに対する対応がない。また、特許文献２ではスキュー調整機構を開示している。
【特許文献１】特開２００１−５１１９公報
【特許文献２】特開平０８−２７４９５１号公報
【発明の開示】
【発明が解決しようとする課題】
【０００３】
しかしながら、従来ではレジスト量はチャート等の他の道具を使用して算出して製品側にデータを送らなければならなかった。また、従来ではレンズブロック調整や画像読み取り装置単体で検査し保証をしているが、本体製品に搭載したときに本体側の平面度等にて保証した値がずれてしまう。さらに、人が確認しながら手動で調整しなければならない等の不都合がある。
そこで、本発明の目的は、上述した実情を考慮して、白基準板に三角黒マークを設け、本体上で容易にデータを算出することのできる画像読み取り装置を提供することにある。
【課題を解決するための手段】
【０００４】
上記の課題を解決するために、請求項１に記載の発明は、白基準板を設け、該白基準板の基準レベルに基づいて白レベルを決定するシェーディング補正手段を備えた画像読み取り装置において、２箇所の三角黒マークを設けた白基準板と、該白基準板の出力により前記三角黒マークの出力幅を判定する判定手段と、該判定手段により判定した前記三角黒マークの出力幅に基づいてスキュー量を算出する算出手段と、該算出手段により算出した値を表示する表示手段と、を有することを特徴とする。
また、請求項２に記載の発明は、白基準板を設け、該白基準板の基準レベルに基づいて白レベルを決定するシェーディング補正手段を備えた画像読み取り装置において、２箇所の三角黒マークを設けた白基準板と、送り量を制御できるスキャナモータと、前記白基準板の出力により前記三角黒マークの出力幅を判定する判定手段と、該判定手段により判定した前記三角黒マークの出力幅に基づいてレジストを調整するレジスト調整手段と、を有することを特徴とする。
また、請求項３に記載の発明は、白基準板を設け、該白基準板の基準レベルに基づいて白レベルを決定するシェーディング補正手段を備えた画像読み取り装置において、２箇所の三角黒マークを設けた白基準板と、該白基準板の出力により前記三角黒マークの出力幅を判定する判定手段と、該判定手段により判定した前記三角黒マークの出力幅に基づいてスキュー量を算出する算出手段と、該算出手段により算出した値を表示する表示手段と、手動にてスキューを調整できるスキュー調整手段と、を有することを特徴とする。
また、請求項４に記載の発明は、前記スキュー調整手段が自動にてスキューを調整できる請求項３記載の画像読み取り装置を特徴とする。
【発明の効果】
【０００５】
本発明によれば、画像読取装置においては白基準板に２箇所の三角黒マークを画像領域外に設け、シェーディングしたときの左右光軸位置を算出し、製品本体のみでスキュー量を算出することができる。
【発明を実施するための最良の形態】
【０００６】
以下、図面を参照して、本発明の実施形態を詳細に説明する。図１は一般的なミラースキャン型読み取り装置の概要を示した図である。図２は図１のキャリッジ機構を示す上面図である。
図１および図２において、コンタクトガラス１上の左スケール基準２に原稿がセットされる。コピースタートにてスキャナモータ３が回転し、第１キャリッジ４と第２キャリッジ５がギヤ６やタイミングベルト７、平ベルト８を経て駆動する。
第１キャリッジ４が一度ポームポジションセンサ９に行き、そこから一定のパルス量モータが回転し、白基準板１０の下でシェーディングされる。ランプ１１にて原稿および白基準板１０を照射し、第１ミラー１２、第２ミラー１３、第３ミラー１４、レンズ１５を介してＣＣＤ１６に光が入って画像を読み取る。白圧板１７にて原稿を押える。
しかし、ＣＣＤ１６の光軸や第１キャリッジ４の光軸、第２キャリッジ５の光軸、ダハ角などで読み取りの光軸位置はユニットによって変化してしまう。従来の画像読み取り装置では画像読み取り単体のスキュー量を測定するためには独自の治具も必要であり測定に関しても時間が掛かるのが現状である。
図３は白基準板の原稿領域外の左右部分に設ける三角黒マークを説明する概略図である。図４は図３の両端の三角黒マークの出力巾を拡大して示す概略図である。
図３に示すように、白基準板１０の原稿領域外の左右部分に（白基準板１０の端の位置）に三角黒マーク１０ａを設ける。そこで画像読み取り前のシェーディング作業をするさいに、図４に示す三角マークの出力巾を読み取りシェーディングの位置で確認する。
【０００７】
図５はスキャンライン位置を説明する概略図である。スキャンライン位置は次式、
スキャンライン位置＝ｔａｎθ×Ａ／２・・・式１
で表される。
図６はシェーディングスキャンライン位置の関係を示す概略図である。図６において、ａは理想（狙い）シェーディングスキャンライン位置を示し、ｂ、ｃは検出したシェーディングスキャンライン位置を示している。
理想（狙い）シェーディングスキャンライン位置は、
（Ｅ）＝ｔａｎθ×ａ／２＝ａ２・・・式２
左端検出の（実際の）シェーディングスキャンライン位置は、
ｔａｎθ×ｂ／２＝ｂ１・・・式３
右端検出の（実際の）シェーディングスキャンライン位置は、
ｔａｎθ×ｃ／２＝ｃ１・・・式４
レジスト位置は、
（Ｇ）＝（ｂ１＋ｃ１）／２・・・式５
スキュー量（％）＝（ｂ１−ｃ１）／Ｄ×１００・・・式６
で求められる。
そこで、上述した図４に示す三角マークの出力巾の読み取りシェーディングでの位置確認の計算式は式３、４による。位置確認後、式６にてスキュー量を算出し、本体操作部にて確認することができる。
図３に示すように、白基準板１０の原稿領域外の左右２箇所に（白基準板１０の端の位置）三角黒マーク１０ａを設ける。そこで画像読み取り前のシェーディング作業をするさいに、図４に示す三角マークの出力巾を読み取りシェーディングで位置を確認する（位置確認の計算式は式３、４による）。
【０００８】
図７は狙いシェーディング位置を説明する概略図である。上記の位置確認後、式５にてレジスト量を算出し、
レジスト調整値＝Ｅ−Ｇ・・・式７
によって調整量を算出する。図７中、Ｇは式５で算出、Ｅは式２で算出（固定値）、Ｆはレイアウト上の固定値である。
その算出した調整値を基に本体側でレジスト調整値を変更することにより容易にレジスト調整を実施することができる。白基準板１０に２箇所の三角黒マーク１０ａを画像領域外に設け、シェーディングしたときの左右光軸位置を算出し製品本体のみでレジスト量を算出し、調整することができる。
図８は本発明による画像読み取り装置の実施の形態を示す概略断面図である。図８において、ＣＣＤ１６の手前のレンズ１５はレンズブロックステー１８上にあり、このレンズブロックステー１８はこれを受けるレンズブロックステー受け台１９上に載っている。符号９はスキャナフレームを示す。
レンズブロックステー１８の端部上面と支持体２０の下面との間にはスプリング２１が配置される。レンズブロックステー受け台１９はこの開口を貫通してレンズブロックステー１８の端部下面に当接する調整ネジ２２を備えている。
この調整ネジ２２はスキュー調整機構を調整し、調整ネジ２２を動かすことにより本体製品上にてスキュー量を確認しながら手動にて調整することができる。すなわち、手動スキュー調整機構を設け、算出したスキュー値を使用して手動にてスキュー調整することができる。
【０００９】
図９は本発明による画像読み取り装置の他の実施の形態を示す概略断面図である。ＣＣＤ１６の手前のレンズ１５はレンズブロックステー１８上にあり、このレンズブロックステー１８はこれを受けるレンズブロックステー受け台１９上に載っている。
レンズブロックステー１８の端部上面と支持体２０の下面との間にはスプリング２１が配置される。レンズブロックステー１８の端部下面には偏心カム２３が当接し、この偏心カム２３はギヤ２４を介してモータ２５と接続される。モータ軸２６は支持体２０のレンズブロックステー受け台１９に近い位置に設けられた開口を通ってギヤ２４と接続する。
このスキュー調整機構では、偏心カム２３を用いモータ２５で動かして調整することによって算出したスキュー量からモータを動かし、自動的に調整することができる。
図１０は本発明の画像読み取り装置の全体構成を概略するブロック図である。
図１０において、白基準板１０の両端には三角黒マーク１０ａが設けられ、送り量を制御できるスキャナモータ３と、白基準板１０の下での出力にて判定する判定手段２８と、判定したレジストを調整できるレジスト調整手段２７が設けられている。
また、図１０には、算出手段２９によって算出した値を表示する表示手段３０とスキューを調整できるスキュー調整手段３１が設けられる。このスキュー調整手段３１は、例えば、図８のような調整ネジを用いて手動にて、または図９のような偏心カム２３、モータ２５を含む機構を用いて自動にてスキューを調整することができる。
【図面の簡単な説明】
【００１０】
【図１】一般的なミラースキャン型読み取り装置の概要を示した図。
【図２】図１のキャリッジ機構を示す上面図。
【図３】白基準板の原稿領域外の左右部分に設ける三角黒マークを説明する概略図。
【図４】図３の両端の三角黒マークの出力巾を拡大して示す概略図。
【図５】スキャンライン位置を説明する概略図。
【図６】シェーディングスキャンライン位置の関係を示す概略図。
【図７】狙いシェーディング位置を説明する概略図。
【図８】本発明による画像読み取り装置の実施の形態を示す概略断面図。
【図９】本発明による画像読み取り装置の他の実施の形態を示す概略断面図。
【図１０】本発明の画像読み取り装置の全体構成を概略するブロック図。
【符号の説明】
【００１１】
３  スキャナモータ
１０  白基準板
１７  三角黒マーク
２２  スキュー調整手段（調整ネジ）
２３  スキュー調整手段（偏心カム、モータ）
２７  レジスト調整手段
２８  判定手段
２９  算出手段
３０  表示手段
３１  スキュー調整手段（調整ネジまたは偏心カム、モータ）
【図１】
2006186429.tif 000003
【図２】
2006186429.tif 000004
【図３】
2006186429.tif 000005
【図４】
2006186429.tif 000006
【図５】
2006186429.tif 000007
【図６】
2006186429.tif 000008
【図７】
2006186429.tif 000009
【図８】
2006186429.tif 000010
【図９】
2006186429.tif 000011
【図１０】
2006186429.tif 000012